(57)【要約】【課題】移動環境下のデータ伝送時において伝送レートの低下を抑える変調方式を選択可能な通信装置を得ること。【解決手段】本発明にかかる通信装置は、ＯＦＤＭ方式で変調された無線信号を送受信する通信装置であって、たとえば、送信処理部が、送信信号に対して同期検波方式に対応するマッピング処理を施す同期検波ＭＡＰＰＩＮＧ部（３）、送信信号に対して遅延検波方式に対応するマッピング処理を施す遅延検波ＭＡＰＰＩＮＧ部（４）、自装置の状況に基づいて同期検波ＭＡＰＰＩＮＧ部（３）または遅延検波ＭＡＰＰＩＮＧ部（４）のいずれか一方に送信信号を選択的に入力するための切り替えＳＷ（１）およびセレクタ（２）、を備える。【選択図】        図１
2007067567.tif 000002
【特許請求の範囲】
【請求項１】
ＯＦＤＭ（Orthogonal  Frequency  Division  Multiplexing）変調方式で変調された無線信号を送受信する通信装置であって、
送信処理部が、
送信信号に対して同期検波方式に対応するマッピング処理を施す第１の変調手段と、
送信信号に対して遅延検波方式に対応するマッピング処理を施す第２の変調手段と、
自装置の状況に基づいて、前記第１の変調手段または第２の変調手段のいずれか一方に送信信号を選択的に入力する変調方法選択手段と、
を備え、
受信処理部が、
受信信号に対して同期検波処理を施す第１の復調手段と、
受信信号に対して遅延検波処理を施す第２の復調手段と、
同期検波方式に対応するマッピング処理が施された受信信号を前記第１の復調手段に入力し、遅延検波方式に対応するマッピング処理が施された受信信号を前記第２の復調手段に入力する復調方法選択手段と、
を備えることを特徴とする通信装置。
【請求項２】
前記変調方法選択手段は、さらに、媒体アクセス制御（ＭＡＣ：Media  Access  Control）により、前記第１の変調手段または第２の変調手段のいずれか一方に送信信号を選択的に入力することを特徴とする請求項１に記載の通信装置。
【請求項３】
前記変調方法選択手段は、さらに、同期検波方式と遅延検波方式とを切り替えるための情報を、ＭＡＣにより相手通信装置に通知することを特徴とする請求項２に記載の通信装置。
【請求項４】
前記復調方法選択手段は、さらに、ＭＡＣにより、同期検波方式に対応するマッピング処理が施された受信信号を前記第１の復調手段に入力し、遅延検波方式に対応するマッピング処理が施された受信信号を前記第２の復調手段に入力することを特徴とする請求項２に記載の通信装置。
【請求項５】
前記復調方法選択手段は、さらに、ＭＡＣにより、相手通信装置から同期検波方式と遅延検波方式とを切り替えるための情報を受け取り、当該情報に基づいて、同期検波方式に対応するマッピング処理が施された受信信号を前記第１の復調手段に入力し、遅延検波方式に対応するマッピング処理が施された受信信号を前記第２の復調手段に入力することを特徴とする請求項３に記載の通信装置。
【請求項６】
相手通信装置の状況をＭＡＣにより取得することを特徴とする請求項２〜５のいずれか一つに記載の通信装置。
【請求項７】
前記自装置の状況をＭＡＣにより相手通信装置に通知することを特徴とする請求項２〜６のいずれか一つに記載の通信装置。
【請求項８】
さらに、
前記自装置の状況として移動速度を検出する移動速度検出手段、
を備え、
前記送信処理部が、前記移動速度に基づいて、前記第１の変調手段または第２の変調手段のいずれか一方に送信信号を選択的に入力することを特徴とする請求項１に記載の通信装置。
【請求項９】
前記受信処理部が、前記移動速度に基づいて、同期検波方式に対応するマッピング処理が施された受信信号か、遅延検波方式に対応するマッピング処理が施された受信信号か、を選択することを特徴とする請求項８に記載の通信装置。
【請求項１０】
前記自装置の移動速度を、媒体アクセス制御（ＭＡＣ：Media  Access  Control）により相手通信装置に通知することを特徴とする請求項８または９に記載の通信装置。
【請求項１１】
相手通信装置の移動速度を、ＭＡＣにより取得することを特徴とする請求項１０に記載の通信装置。
【請求項１２】
前記送信処理部が、さらに、
既知のフレームの特定領域に、同期検波方式と遅延検波方式とを切り替えるための情報を含めて送信する送信手段、
を備えることを特徴とする請求項１に記載の通信装置。
【請求項１３】
前記送信処理部が、さらに、
前記第１の変調手段に送信信号を入力した場合に、既知の固定プリアンブルパターンを送信し、前記第２の変調手段に送信信号を入力した場合に、新たに定義した固定プリアンブルパターンを送信する送信手段、
を備えることを特徴とする請求項１に記載の通信装置。
【請求項１４】
前記受信処理部が、さらに、
既知のフレームの特定領域から同期検波方式と遅延検波方式とを切り替えるための情報を取得し、当該情報に基づいて、同期検波方式に対応するマッピング処理が施された受信信号か、遅延検波方式に対応するマッピング処理が施された受信信号か、を判定する検波方法判定手段、
を備えることを特徴とする請求項１２に記載の通信装置。
【請求項１５】
前記受信処理部が、さらに、
固定プリアンブルパターンに基づいて、同期検波方式に対応するマッピング処理が施された受信信号か、遅延検波方式に対応するマッピング処理が施された受信信号か、を判定する検波方法判定手段、
を備えることを特徴とする請求項１３に記載の通信装置。
【請求項１６】
ＯＦＤＭ変調方式で変調された無線信号を送信する送信装置であって、
送信信号に対して同期検波方式に対応するマッピング処理を施す第１の変調手段と、
送信信号に対して遅延検波方式に対応するマッピング処理を施す第２の変調手段と、
自通信装置の状況に基づいて、前記第１の変調手段または第２の変調手段のいずれか一方に送信信号を選択的に入力する変調方法選択手段と、
を備えることを特徴とする送信装置。
【請求項１７】
前記変調方法選択手段は、さらに、媒体アクセス制御（ＭＡＣ）により、前記第１の変調手段または第２の変調手段のいずれか一方に送信信号を選択的に入力することを特徴とする請求項１６に記載の送信装置。
【請求項１８】
前記変調方法選択手段は、さらに、同期検波方式と遅延検波方式とを切り替えるための情報を、ＭＡＣにより相手通信装置に通知することを特徴とする請求項１７に記載の送信装置。
【請求項１９】
自装置の移動速度に基づいて、前記第１の変調手段または第２の変調手段のいずれか一方に送信信号を選択的に入力することを特徴とする請求項１６に記載の送信装置。
【請求項２０】
さらに、
既知のフレームの特定領域に、同期検波方式と遅延検波方式とを切り替えるための情報を含めて送信する送信手段、
を備えることを特徴とする請求項１６に記載の送信装置。
【請求項２１】
さらに、
前記第１の変調手段に送信信号を入力した場合に、既知の固定プリアンブルパターンを送信し、前記第２の変調手段に送信信号を入力した場合に、新たに定義した固定プリアンブルパターンを送信する送信手段、
を備えることを特徴とする請求項１６に記載の送信装置。
【請求項２２】
ＯＦＤＭ変調方式で変調された無線信号を受信する受信装置であって、
受信信号に対して同期検波処理を施す第１の復調手段と、
受信信号に対して遅延検波処理を施す第２の復調手段と、
同期検波方式に対応するマッピング処理が施された受信信号を前記第１の復調手段に入力し、遅延検波方式に対応するマッピング処理が施された受信信号を前記第２の復調手段に入力する復調方法選択手段と、
を備えることを特徴とする受信装置。
【請求項２３】
前記復調方法選択手段は、さらに、媒体アクセス制御（ＭＡＣ）により、同期検波方式に対応するマッピング処理が施された受信信号を前記第１の復調手段に入力し、遅延検波方式に対応するマッピング処理が施された受信信号を前記第２の復調手段に入力することを特徴とする請求項２２に記載の受信装置。
【請求項２４】
前記復調方法選択手段は、さらに、媒体アクセス制御（ＭＡＣ）により、相手通信装置から同期検波方式と遅延検波方式とを切り替えるための情報を受け取り、当該情報に基づいて、同期検波方式に対応するマッピング処理が施された受信信号を前記第１の復調手段に入力し、遅延検波方式に対応するマッピング処理が施された受信信号を前記第２の復調手段に入力することを特徴とする請求項２２に記載の受信装置。
【請求項２５】
さらに、
自通信装置の移動速度を検出する移動速度検出手段、
を備え、
前記移動速度に基づいて、同期検波方式に対応するマッピング処理が施された受信信号か、遅延検波方式に対応するマッピング処理が施された受信信号か、を選択することを特徴とする請求項２２に記載の受信装置。
【請求項２６】
さらに、
既知のフレームの特定領域から同期検波方式と遅延検波方式とを切り替えるための情報を取得し、当該情報に基づいて、同期検波方式に対応するマッピング処理が施された受信信号か、遅延検波方式に対応するマッピング処理が施された受信信号か、を判定する検波方法判定手段、
を備えることを特徴とする請求項２２に記載の受信装置。
【請求項２７】
さらに、
固定プリアンブルパターンに基づいて、同期検波方式に対応するマッピング処理が施された受信信号か、遅延検波方式に対応するマッピング処理が施された受信信号か、を判定する検波方法判定手段、
を備えることを特徴とする請求項２２に記載の受信装置。
【発明の詳細な説明】
【技術分野】
【０００１】
本発明は、無線信号の変調および復調を行う通信装置に関するものであり、特に、直交周波数分割多重（ＯＦＤＭ：Orthogonal  Frequency  Division  Multiplexing）変調方式で変調された無線信号を送受信する無線通信システム等に適用される通信装置に関するものである。
【背景技術】
【０００２】
近年、無線ＬＡＮシステム等の普及により無線通信を利用した広帯域データ伝送を行う機会が増えてきている。これに伴い、高速移動環境下においても安定したデータ伝送が可能な無線ＬＡＮシステムおよびそれに対応した通信装置が必要とされつつある。
【０００３】
上記広帯域データ伝送に適したシステムとして、たとえば、ＩＥＥＥ８０２．１１ａ規格を適用した無線ＬＡＮシステムがある。このＩＥＥＥ８０２．１１ａ規格は、マルチパスやフェージング等の電波伝搬に耐性があるＯＦＤＭ変調方式を使用しており、通信環境の良いところでは６４ＱＡＭ（Quadrature  Amplitude  Modulation）方式を使用して最大５４Ｍｂｐｓのデータ伝送が可能である（下記非特許文献１参照）。
【０００４】
【非特許文献１】ＩＥＥＥ  Ｓｔｄ  ８０２．１１ａ
【発明の開示】
【発明が解決しようとする課題】
【０００５】
しかしながら、上記従来のＩＥＥＥ８０２．１１ａ規格は、静止環境下での使用を想定したものであり、受信信号を同期検波方式により復調することとしている。そのため、高速移動環境下でのデータ伝送においては、伝送路の変動に伴い大きな特性劣化が発生し、特に伝送レートを高くするために有効である多値化の進んだＱＡＭ方式使用時には伝送レートが著しく低下する、という問題があった。また、仮に、受信信号を遅延検波方式により復調することとした場合には、高速移動環境下でのデータ伝送における特性劣化（伝送レートの低下）を抑えることはできるが、同期検波方式を使用して受信信号を復調する場合と比較して、静止環境下における伝送レートが低くなる、という問題があった。
【０００６】
本発明は、上記に鑑みてなされたものであって、静止環境下においてデータ伝送を行う場合に従来と同様の伝送レートを実現しつつ、移動環境下においてデータ伝送を行う場合の伝送レートの低下を抑えることが可能な通信装置を得ることを目的とする。
【課題を解決するための手段】
【０００７】
上述した課題を解決し、目的を達成するために、本発明にかかる通信装置は、ＯＦＤＭ変調方式で変調された無線信号を送受信する通信装置であって、送信処理部が、送信信号に対して同期検波方式に対応するマッピング処理を施す第１の変調手段と、送信信号に対して遅延検波方式に対応するマッピング処理を施す第２の変調手段と、自装置の状況に基づいて、前記第１の変調手段または第２の変調手段のいずれか一方に送信信号を選択的に入力する変調方法選択手段と、を備え、受信処理部が、受信信号に対して同期検波処理を施す第１の復調手段と、受信信号に対して遅延検波処理を施す第２の復調手段と、同期検波方式に対応するマッピング処理が施された受信信号を前記第１の復調手段に入力し、遅延検波方式に対応するマッピング処理が施された受信信号を前記第２の復調手段に入力する復調方法選択手段と、を備えることを特徴とする。
【発明の効果】
【０００８】
この発明によれば、静止環境下でのデータ伝送および移動環境下でのデータ伝送のいずれの場合においても、良好な状態でデータ伝送を行うことができる、という効果を奏する。
【発明を実施するための最良の形態】
【０００９】
以下に、本発明にかかる通信装置、送信装置および受信装置の実施の形態を図面に基づいて詳細に説明する。なお、この実施の形態によりこの発明が限定されるものではない。
【００１０】
実施の形態１．
図１は、本発明にかかる通信装置の一例として動作する通信端末の実施の形態１の送信処理部（送信装置に相当）の構成例を示す図であり、切り替えスイッチ（ＳＷ）１、セレクタ２および５、同期検波マッピング（ＭＡＰＰＩＮＧ）部３、遅延検波マッピング（ＭＡＰＰＩＮＧ）部４、ＩＦＦＴ処理部６、アンテナ７を備えている。また、図２は、受信処理部（受信装置に相当）の構成例を示す図であり、切り替えスイッチ（ＳＷ）１１、セレクタ１２および１５、同期検波判定部１３、遅延検波判定部１４、ＦＦＴ処理部１６、アンテナ１７を備えている。このような構成の送信処理部および受信処理部を備える通信端末が、ＯＦＤＭ（Orthogonal  Frequency  Division  Multiplexing）変調方式で変調されたデータを送受信する動作を、図１および図２を用いて以下に説明する。
【００１１】
図１において、セレクタ２は、切り替えスイッチ１から出力された制御信号Ｓ８の内容に従って、送信信号Ｓ１を同期検波マッピング部３または遅延検波マッピング部４に渡す。ここで、切り替えスイッチ１は、通信端末の状況に基づいて、データの伝送レートが高くなる（良好な特性が得られる）変調方式（マッピング処理）を選択するように、セレクタ２および５を制御するための信号Ｓ８を出力する。具体的には、通信端末が静止環境下にある場合、信号Ｓ２を同期検波マッピング部３に渡すように指示する信号Ｓ８をセレクタ２に対して出力し、一方、通信端末が移動環境下にある場合には、信号Ｓ４を遅延検波マッピング部４に渡すように指示する信号Ｓ８をセレクタ２に対して出力する。
【００１２】
同期検波マッピング部３は、セレクタ２から受け取った信号Ｓ２に対して、同期検波方式に対応するマッピング処理（たとえば、６４ＱＡＭによるサブキャリア変調処理など）を行う。一方、遅延検波マッピング部４は、セレクタ２から受け取った信号Ｓ４に対して、遅延検波方式に対応するマッピング処理（たとえば、差動変調方式であるＤＱＰＳＫ（Differential  Quadrature  Phase  Shift  Keying）によるサブキャリア変調処理など）を行う。セレクタ５は、同期検波マッピング部３から出力された信号Ｓ３または遅延検波マッピング部４から出力された信号Ｓ５を、上記信号Ｓ８の内容に従って選択し、その選択結果を信号Ｓ６としてＩＦＦＴ（Inverse  Fast  Fourier  Transform）処理部６に送る。ＩＦＦＴ処理部６は、周波数信号である入力信号Ｓ６に対して逆高速フーリエ変換処理を施し、その結果として得られる時間信号Ｓ７を出力し、当該信号Ｓ７は、所定の送信処理が施された後、アンテナ７を介して送信される。
【００１３】
また、図２に示したように、受信動作時には、上記送信動作と逆の手順で処理が行われる。ＦＦＴ（Fast  Fourier  Transform）処理部１６は、アンテナ１７を介して受信し、所定の受信処理が施された時間信号Ｓ１７に対して、高速フーリエ変換処理を施し、周波数信号Ｓ１６を出力する。セレクタ１５は、切り替えスイッチ１１からの出力信号Ｓ１８の内容に従って、ＦＦＴ処理部１６の出力信号Ｓ１６を同期検波判定部１３または遅延検波判定部１４に渡す。ここで、切り替えスイッチ１１は、送信端末側で行われたマッピング処理に対応する判定処理を選択するように、セレクタ１２および１５を制御するための信号Ｓ１８を出力する。具体的には、同期検波方式に対応するマッピング処理が施された信号を受信した場合、信号Ｓ１３を同期検波判定部１３に渡すように指示する信号Ｓ１８をセレクタ１５に対して出力し、一方、遅延検波方式に対応するマッピング処理が施された信号を受信した場合には、信号Ｓ１５を遅延検波判定部１４に渡すように指示する信号Ｓ１８をセレクタ１５に対して出力する。
【００１４】
そして、同期検波判定部１３は、セレクタ１５から受け取った信号Ｓ１３に対して同期検波処理を施し、その結果として得られる信号Ｓ１２を出力する。一方、遅延検波検出部１４は、セレクタ１５から受け取った信号Ｓ１５に対して遅延検波処理を施し、その結果として得られる信号Ｓ１４を出力する。セレクタ１２は、同期検波判定部１３または遅延検波判定部１４から出力された信号を信号Ｓ１８の内容に従って選択し、信号Ｓ１１として出力する。
【００１５】
このように、本実施の形態においては、通信端末が、自端末の状況に基づいて、より良好な特性が得られるマッピング処理を選択し、データ伝送を行うこととした。これにより、静止環境下でのデータ伝送および移動環境下でのデータ伝送のいずれの場合においても、良好な状態でデータ伝送を行うことができる。
【００１６】
実施の形態２．
つづいて、実施の形態２の通信端末について説明する。図３は、実施の形態２の通信端末の送信処理部（送信装置に相当）の構成例を示す図である。また、図４は、受信処理部（受信装置に相当）の構成例を示す図である。ここで、本実施の形態の送信処理部および受信処理部は、上述した実施の形態１の構成にＭＡＣ部２１およびＭＡＣ部２２がそれぞれ追加された構成となり、その他の部分の構成およびそれらの動作については、上述した実施の形態１と同一である。本実施の形態においては、上述した実施の形態１と異なる部分について説明する。
【００１７】
本実施の形態の通信端末がデータ送信動作を行う場合、マッピング処理を選択するための信号は、ＭＡＣ部２１を介して信号Ｓ２１として出力され、さらに切り替えスイッチ１を介してセレクタ２および５に信号Ｓ８として入力される。
【００１８】
また、信号の受信動作を行う場合、送信端末側で行われたマッピング処理に対応する検波処理（判定処理）を選択するための信号は、ＭＡＣ部２２を介して信号Ｓ２２として出力され、さらに切り替えスイッチ１１を介してセレクタ１２および１５に信号Ｓ１８として入力される。なお、通信装置は、送信処理部と受信処理部に対して共通のＭＡＣ部を備え、当該ＭＡＣ部が上記信号Ｓ２１およびＳ２２を出力することとしてもよい。
【００１９】
ここで、ＭＡＣ部２１は、通信端末の状況に基づいて、データの伝送レートが高くなる（良好な特性が得られる）マッピング処理を選択するように、セレクタ２および５を制御するための信号Ｓ２１を出力し、さらに、自端末が選択したマッピング処理に対応させた、検波処理を切り替えるための情報を、相手（受信側）通信端末に対してＭＡＣにより通知する。なお、通信を行う端末同士は、双方の状況（たとえば、移動速度の情報）を、ＭＡＣにより相手端末に通知し、送信側の通信端末は、自端末の状況および相手装置の状況を考慮してマッピング処理を選択することとしてもよい。また、送信側端末（送信部）のＭＡＣ部２１は、過去の通信状況などの情報を保持しておくこととし、当該保持している情報に基づいて予測した現在の相手端末の状況に対応するマッピング処理を選択するようにしてもよい。
【００２０】
このように、本実施の形態においては、通信端末が、自端末の状況などに基づいて、より良好な特性が得られるマッピング処理を選択し、データ伝送を行うこととした。また、検波処理を切り替えるための情報をＭＡＣにより相手通信端末に通知することとした。さらに、通信を行う端末同士は、お互いの状況をＭＡＣにより相手に通知することとした。これにより、静止環境下および移動環境下のいずれの場合においても、良好な状態でのデータ伝送を実現することができる。さらに、相手端末の状況に応じてマッピング処理を切り換えることが可能となり、状況の変化に対して最適なマッピング処理を使用したデータ伝送を実現することができる。
【００２１】
実施の形態３．
つづいて、実施の形態３の通信端末について説明する。図５は、実施の形態３の受信処理部（受信装置に相当）の構成例を示す図であり、上述した実施の形態２の受信処理部に速度計測部３１が追加された構成となり、その他の部分の構成およびそれらの動作については、実施の形態２と同一である。本実施の形態においては、上述した実施の形態２と異なる部分について説明する。
【００２２】
本実施の形態の通信端末は、受信信号を用いて自端末の移動速度を推定し、当該推定結果に基づいて復調方式（検波処理）を選択する。具体的には、速度測定部３１は、ＦＦＴ処理部１６から出力された周波数信号Ｓ３２および既知の受信信号パターンの包絡線を比較することにより、移動速度を推定する。また、信号Ｓ３２に代えて、高速フーリエ変換処理が施される前の時間信号である信号Ｓ３１を用いてドップラーシフト量を推定し、当該ドップラーシフト量を用いて移動速度を推定することとしてもよい。すなわち、既知の受信信号パターンの自己相関をとるなどして得た送信側と受信側の平均的なクロックタイミングと、信号Ｓ３１のタイミングのずれ、に基づいて移動速度を推定する。そして、上述した処理により推定された移動速度を通知する信号Ｓ３３に基づいて、切り替えスイッチ１１がセレクタ１２および１５を制御するための信号Ｓ１８を出力する。また、ＭＡＣ部２２ａは、当該移動速度をＭＡＣにより相手通信端末に通知する。なお、ＭＡＣ部２２ａは、前述した実施の形態２のＭＡＣ部２２から「検波処理を切り替えるための情報」に基づいて切り替えスイッチ１１を制御する機能を削除したものである。
【００２３】
なお、より高精度に移動速度を測定するために、上述した受信信号に基づいて移動速度を推定する動作に代えて、独立した専用の速度検出器を使用して移動速度を検出することとしてもよい。
【００２４】
また、通信端末は、上記受信処理部が備える速度計測部３１において推定した移動速度を参照して、送信時に使用するマッピング処理を選択する。たとえば、図３に示した送信処理部において、切り替えスイッチ１は、上記移動速度に基づいて、データの伝送レートが高くなるマッピング処理を選択するようにセレクタ２および５を制御するための信号Ｓ８を出力する。
【００２５】
このように、本実施の形態においては、受信側通信端末が自端末の移動速度を検出し、当該検出結果に基づいて復調方式を選択することとした。また、検出した移動速度をＭＡＣにより相手通信端末に通知することとした。これにより、静止環境下および移動環境下のいずれの場合においても、良好な状態でのデータ伝送を実現することができる。さらに、相手端末の状況に応じてマッピング処理を切り換えることが可能となり、状況の変化に対して最適なマッピング処理を使用したデータ伝送を実現することができる。
【００２６】
実施の形態４．
つづいて、実施の形態４の通信端末について説明する。ここでは、現行の無線ＬＡＮシステムＩＥＥＥ８０２．１１ａまたはＩＥＥＥ８０２．１１ｇに対して本実施の形態の通信端末を適用し、現行の無線ＬＡＮシステムに接続中の通信端末が高速移動した場合に、伝送レートが著しく低下することを防止する。
【００２７】
上記現行の無線ＬＡＮシステムでは、たとえば、ＩＥＥＥ８０２．１１ａ規格を適用した場合、通信速度を８通りの中から選択可能であり（図６参照）、選択可能な変調方式としてＢＰＳＫ（Binary  Phase  Shift  Keying），ＱＰＳＫ（Quadrature  Phase  Shift  Keying），１６ＱＡＭ，６４ＱＡＭがある。また、それぞれの変調方式について２種類の符号化率が選択可能である。
【００２８】
そのため、上記ＩＥＥＥ８０２．１１ａおよび１１ｇに接続中の通信端末が移動する場合、たとえば、上記ＢＰＳＫ，ＱＰＳＫなどの変調方式に代えて、それぞれＤＢＰＳＫ（Differential  ＢＰＳＫ），ＤＱＰＳＫ（Differential  ＱＰＳＫ），Ｄ１６ＡＰＳＫ（Differential  １６  Amplitude  Phase  Shift  Keying），Ｄ６４ＡＰＳＫのように多値化数を揃えた遅延検波の変調方式（差動変調方式）を使用する。これにより、ＭＡＣレベルにおいて透過なシステムを構築することが可能になる。
【００２９】
ここで、送信側通信端末から受信側通信端末へ同期検波と遅延検波のいずれを使用すべきか通知する方法として、たとえば、図７に示したフレームの一部のフィールドを利用する。図７は、ＩＥＥＥ８０２．１１ａのフレーム構成を示す図であり、当該フレームは「ＰＬＣＰ（Physical  Layer  Convergence  Protocol）  Ｐｒｅａｍｂｌｅ」、「ＳＩＧＮＡＬ」、および「ＤＡＴＡ」の各部分から構成され、ＳＩＧＮＡＬ部には、「ＲＡＴＥ」，「Ｒｅｓｅｒｖｅｄ」，「ＬＥＮＧＴＨ」，「Ｐａｒｉｔｙ」，「Ｔａｉｌ」が含まれている。また、ＤＡＴＡ部には、「ＳＥＲＶＩＣＥ」，「ＰＳＤＵ（PLCP  Service  Data  Unit）」，「Ｔａｉｌ」，「Ｐａｄ  Ｂｉｔｓ」が含まれている。なお、上記ＳＩＧＮＡＬ部および「ＳＥＲＶＩＣＥ」を合わせた部分を「ＰＬＣＰ  Ｈｅａｄｅｒ（ＰＬＣＰヘッダ）」と呼ぶ。本実施の形態においては、このような構成のＰＬＣＰヘッダのReservedフィールドまたはSERVICEフィールドを使用することにより、受信側通信端末に対して検波方法を通知する。すなわち、当該ReservedフィールドまたはSERVICEフィールドを物理レイヤのフラグとして使用することにより、使用すべき検波方法を受信側通信端末へ通知する。そして、受信側通信端末は、当該フラグの内容に基づいて同期検波方式と遅延検波方式とを切り替える。
【００３０】
また、「ＰＬＣＰ  Ｐｒｅａｍｂｌｅ（ＰＬＣＰプリアンブル）」パターンを利用して使用すべき検波方法を受信側通信端末へ通知することとしてもよい。図８は、「ＰＬＣＰプリアンブル」を含むＩＥＥＥ８０２．１１ａのＰＰＤＵ（PLCP  Protocol  Data  Unit）の構成を示す図であり、当該ＰＰＤＵは、「ＰＬＣＰプリアンブル」，「ＳＩＧＮＡＬ」，「Ｄａｔａ１」，「Ｄａｔａ２」，…、により構成される。また、ＰＬＣＰプリアンブルは、ｔ１〜ｔ１０で構成される「ショート・プリアンブル」、「ＧＩ（Guard  Interval）２」と「Ｔ１」および「Ｔ２」で構成される「ロング・プリアンブル」を含む。そして、検波方法を受信側通信端末へ通知する方法として、たとえば、新たな固定プリアンブルパターンを定義して、現行の固定プリアンブルパターンを使用した場合は同期検波を、新しい固定プリアンブルパターンを使用した場合は遅延検波を示すこととする。この場合、ｔ１〜ｔ１０までの１０回繰り返し箇所は、ＡＧＣ（Automatic  Gain  Control）やＡＦＣ（Automatic  Frequency  Control）などに用いられる。そのため、ＡＧＣ動作が可能となるようにＰＡＰＲ（Peak  to  Average  Power  Ratio）値と同程度の新しい固定プリアンブルパターンを定義する。なお、ＡＦＣは繰り返し信号の自己相関を行うことにより実施するため、前記プリアンブルパターンは１０回繰り返すこととする。
【００３１】
このような処理を実現する通信端末が備える送信処理部（送信装置に相当）の構成例を図９に、受信処理部（受信装置に相当）の構成例を図１０に示す。図９に示したように実施の形態４の通信端末の送信処理部は、上述した実施の形態１の送信処理部と比較してフレーマ部４１の動作が異なる。本実施の形態においては、主にフレーマ部４１の動作について説明する。
【００３２】
実施の形態４の通信端末の送信処理部において、フレーマ部４１は、信号Ｓ７に対してプリアンブルの付加、ＧＩ（Guard  Interval）の付加、ランプ処理などを施してフレームを構築し、信号Ｓ４１として出力する。このとき、フレーマ部４１は、上述したように、受信側通信端末へ同期検波と遅延検波のいずれを使用すべきかを示す情報を、ＰＬＣＰヘッダまたはプリアンブルに設定する。
【００３３】
また、図１０に示したように、実施の形態４の通信端末の受信処理部は、上述した実施の形態１の受信処理部に検波方法判定部４２が追加された構成となる。検波方法判定部４２は、受信したＰＬＣＰヘッダまたはプリアンブルを確認して、使用する検波方法についての情報を取得し、その内容を示す信号Ｓ４２を切り替えスイッチ１１に通知する。切り替えスイッチ１１は、検波方法判定部４２から通知された情報に基づいて信号Ｓ１８を生成する。
【００３４】
なお、上述した実施の形態２の構成をとる通信端末の送信処理部にフレーマ部４１を追加し、受信処理部に検波方法判定部４２を追加することにより、ＰＬＣＰヘッダまたはプリアンブルを使用して検波方法についての情報を通知し、ＭＡＣを使用してその他の情報を通知してもよい。
【００３５】
このように、本実施の形態においては、移動中のデータ伝送時に、現行の無線ＬＡＮシステムが使用している同期変調方式の多値数と同じ多値数の差動変調方式を用いて変調を行うこととした。これにより、現行の無線ＬＡＮシステムに接続中の通信端末が高速で移動した場合であっても伝送レートの低下を抑えることができる。
【産業上の利用可能性】
【００３６】
以上のように、本発明にかかる通信装置は、無線通信システムに有用であり、特に、ＯＦＤＭ変調方式を使用した無線通信システムに適用される通信装置に適している。
【図面の簡単な説明】
【００３７】
【図１】実施の形態１の通信端末の送信処理部の構成例を示す図である。
【図２】実施の形態１の通信端末の受信処理部の構成例を示す図である。
【図３】実施の形態２の通信端末の送信処理部の構成例を示す図である。
【図４】実施の形態２の通信端末の受信処理部の構成例を示す図である。
【図５】実施の形態３の通信端末の受信処理部の構成例を示す図である。
【図６】無線ＬＡＮシステムで選択可能な通信速度の一例を示す図である。
【図７】無線ＬＡＮシステムのフレームの構成例を示す図である。
【図８】無線ＬＡＮシステムのＰＰＤＵの構成例を示す図である。
【図９】実施の形態４の通信端末の送信処理部の構成例を示す図である。
【図１０】実施の形態４の通信端末の受信処理部の構成例を示す図である。
【符号の説明】
【００３８】
１，１１  切り替えスイッチ
２，５，１２，１５  セレクタ
３  同期検波マッピング部
４  遅延検波マッピング部
６  ＩＦＦＴ処理部
７，１７  アンテナ
１３  同期検波判定部
１４  遅延検波判定部
１６  ＦＦＴ処理部
２１，２２，２２ａ  ＭＡＣ部
３１  速度計測部
４１  フレーマ部
４２  検波方法判定部
【図１】
2007067567.tif 000003
【図２】
2007067567.tif 000004
【図３】
2007067567.tif 000005
【図４】
2007067567.tif 000006
【図５】
2007067567.tif 000007
【図６】
2007067567.tif 000008
【図７】
2007067567.tif 000009
【図８】
2007067567.tif 000010
【図９】
2007067567.tif 000011
【図１０】
2007067567.tif 000012